(57)【要約】【課題】薄型でかつ多機能の配光を実現することのできる照明器具を提供する。【解決手段】本発明の照明器具は、開口面１０２を有する筐体１００と、前記開口面から発光可能に形成された面状の光源と、前記開口面の少なくとも一つの縁に取付けられ、前記開口面に対して回動自在に取付けられた反射部とを具備している。従って、一般拡散光が必要なときは、反射部を押し上げ開口面を露呈させることで、配光でき、集光が必要なときは、反射板を本体に対して傾斜させ手配することで、自由な集光と照度を得ることができる。【選択図】図１
2010146973.tif 000002
【特許請求の範囲】
【請求項１】
開口面を有する筐体と、
前記開口面から発光可能に形成された面状の光源と、前記開口面の少なくとも一つの縁に取付けられ、
前記開口面に対して回動自在に取付けられた反射部とを具備した照明器具。
【請求項２】
請求項１に記載の照明器具であって、
前記縁を軸として回動する支持部を具備し、
前記反射部は、前記支持部の当該縁と反対側の端部に取り付けられた照明器具。
【請求項３】
請求項１または２に記載の照明器具であって、
前記光源は、開口面と略同じ形状の発光面を有する面状光源であり、
前記反射部は、前記筐体の任意の対称軸を挟んで、対向するように配置される照明器具。
【請求項４】
請求項１乃至３のいずれかに記載の照明器具であって、
前記光源は、有機エレクトロルミネッセンス素子である照明器具。
【請求項５】
請求項１乃至４のいずれかに記載の照明器具であって、
前記反射部は、一方の面のみが反射面で構成された反射板である照明器具。
【請求項６】
請求項１乃至４のいずれかに記載の照明器具であって、
前記反射部は、両面が反射面で構成された反射板である照明器具。
【発明の詳細な説明】
【技術分野】
【０００１】
本発明は、照明器具に係り、特に配光状態を変更可能な照明器具に関する。
【背景技術】
【０００２】
光量や、光の方向を変化させることのできる可変光源装置としては、種々の装置が提案されている。
例えば、図９に示すように、筐体１００内に棒状の光源ランプとしての面状光源１０１を配置し、開状態において反射機能を有するシャッタ１０２Ａ、１０２Ｂを開閉自在に装着した光源装置が提案されている。このシャッタ１０２Ａ、１０２Ｂは支持部１０３Ａ、１０３Ｂによって開閉自在となるように形成されている（特許文献１）。
この光源装置は露光用光源として、用いられ、高精度の位置精度で使用することができる。
【０００３】
しかしながら、近年、住宅のリビングダイニングにおいては、その使われ方が多様化しており、照明器具においても、複数人が種々の異なる使い方をすることも珍しくはない。
【０００４】
【特許文献１】特開２００２−１４８５５５号公報
【発明の開示】
【発明が解決しようとする課題】
【０００５】
このように、複数人が種々の異なる使い方をする場合が多々あることから、種々の配光を実現することのできる多機能型の照明器具が求められている。しかしながら、多機能照明を実現することのできるコンパクトタイプで機能性の高い照明器具はこれまでになかった。
本発明は、前記実情に鑑みてなされたもので、薄型でかつ多機能の配光を実現することのできる照明器具を提供することを目的とする。
【課題を解決するための手段】
【０００６】
そこで本発明の照明器具は、開口面を有する筐体と、前記開口面から発光可能に形成された面状の光源と、前記開口面の少なくとも一つの縁に取付けられ、前記開口面に対して回動自在に取付けられた反射部とを具備したことを特徴とする。
この構成により、一般拡散光が必要なときは、反射部を押し上げ開口面を露呈させることで、配光でき、集光が必要なときは、反射板を本体に対して傾斜させ手配することで、自由な集光と照度を得ることができる。
【０００７】
また本発明は、上記照明器具において、前記縁を軸として回動する支持部を具備し、前記反射部は、前記支持部の当該縁と反対側の端部に取り付けられたものを含む。
この構成により、支持部の両端で筐体（の縁）と、反射部とがそれぞれ回動可能となるように形成することができ、反射部の位置および方向の設定における自由度を高めることができる。
【０００８】
また本発明は、上記照明器具において、前記光源は、開口面と略同じ形状の発光面を有する面状光源であり、前記反射部は、前記筐体の任意の対称軸を挟んで、対向するように配置されるものを含む。
この構成により、筐体の直下を中心とする領域に、種々の配光を実現することができる。
【０００９】
また本発明は、上記照明器具において、前記光源は、有機エレクトロルミネッセンス素子であるものを含む。
【００１０】
また本発明は、上記照明器具において、前記反射部は、一方の面のみが反射面で構成された反射板であるものを含む。
この構成によれば、反射部を収納したとき、所望の表面を形成することができ、反射部を開いたときは所望の反射面を形成することが可能となる。
【００１１】
また本発明は、上記照明器具において、前記反射部は、両面が反射面で構成された反射板であるものを含む。
この構成によれば、正面方向への集中光と同時に器具背面側への反射光を得ることができ、部屋が広く見える雰囲気のある空間を作ることが可能となる。
【発明の効果】
【００１２】
以上のように、本発明によれば、極めて簡単な構成で、薄型かつ多機能の配光が可能な照明器具を提供することが可能となる。
【発明を実施するための最良の形態】
【００１３】
以下、本発明の実施の形態に係る照明器具について、図面を参照しつつ詳細に説明する。
【００１４】
（実施の形態１）
図１乃至５は本発明の実施の形態に係る照明器具を示す説明図である。図１は、この照明器具を展開した状態を示す斜視図、図２は図１の側面図、図３は、同照明器具の反射部を回動した状態を示す図、図４は、同照明器具の反射部を更に別の状態に回動した状態を示す図、図５は、同照明器具の反射部を収納し完全に閉じた状態を示す図である。
本発明の照明器具は、面状光源１０１として有機ＬＥＤ素子が、開口面１０２全面に形成された筐体１００と、前記開口面１０２の少なくとも一つの縁に取付けられ、前記開口面１０２に対して回動自在に取付けられた反射部２００とを具備したことを特徴とする。
ここで反射部２００（２００ａ、２００ｂ）は、筐体１００の中心を対称軸として、対向するように２個配置されている。
【００１５】
ここで器具本体としての筐体１００は薄型の箱型を有しており、天井に取り付けられ仮面には枠部を持つ開口面１０２を有している。そしてこの開口面１０２が有機ＬＥＤ素子からなる面状光源１０１を構成する。そして、反射部２００は、それぞれ支持部２０１によって支持せしめられている。この支持部２０１は、筐体１００の端縁に取り付けられた第１の回動軸２０２と、反射部２００の端縁に第２の回動軸２０３を介して取り付けられており、筐体１００の開口面に対する反射部の角度を調整可能に形成されている。
【００１６】
この第１および第２の回動軸２０２、２０３は筐体１００を貫通して筐体の側面に支持部（図示せず）を具備している。回動軸には、適度な制動機構が内蔵されており、回動範囲内であれば、任意の角度で保持することが可能である。よって光の反射方向を制御することができるので作業面の位置が変化しても対応可能である。
そして更に、支持部２０１は各反射部２００（２００ａ、２００ｂ）に対してそれぞれ、相対向する位置に２個づつ設けられ、反射部を安定に支持している。ここでは奥に位置するため、図示を省略する。
【００１７】
なお、この面状光源１０１は、開口面１０２と略同じ形状の発光面を有しており、反射部２００は、内側面が反射面２０４を構成すると共に外側面も反射面２０５を構成している。
また、支持部２０１は、両端に第１および第２の回動軸２０２と２０３とを挿通する穴を有している。そして、反射部２００は２部品からなり、完全に開いた状態では、筐体の開口面１０２とほぼ同一となるように構成され、１部品が筐体の下面の半分となっている。さらにまた、反射部２００の側面には支持部２０１の一端にある第２の回動軸２０３が挿通される挿通穴が形成されている。
そしてこの挿通穴は図３に示すように、反射部２００を並べた時に当接する側面に設けられ、筐体の側面と近接する位置に設けられる。
【００１８】
次に、この照明器具の使用形態について説明する。
まず、室内全体にわたった光を供給する場合は、図１および２に示すように、反射部２００を筐体１００の開口面１０２に対して３０度程度傾けた状態に固定する。このとき自然な有機ＥＬ照明が実現され、比較的やわらかい光を供給することができる。このように反射部２００を筐体本体１００に対して傾斜させて隣接させることで、自由な集光と照度を得ることができる。
【００１９】
次いで、一般拡散光が欲しい時は、図３に示すように、反射部２００を広げ押し上げることで、完全に開いた状態となる。この場合は、反射部が突出していない状態となるので外観がすっきりする。
【００２０】
また、雰囲気のある照明にしたい場合は、図４に示すように、反射部２００を筐体本体と平行に、かつ筐体本体下面より下げた位置に配置する。かかる配置により、正面方向への集中光と同時に筐体１００の背面側への反射光を得ることができ、部屋が広く見えるようにすることが可能となり、雰囲気のある空間を作ることができる。
【００２１】
さらにまた、不使用時には、図５に示すように、反射部２００を開口面１０２に重ねるように配置する。
この構成により、長期で使用しない時など、反射部を完全に閉じた状態にすることで、反射部で筐体の開口面１０２を覆うことができるため、面状光源を保護することができる。
【００２２】
本実施の形態の照明器具によれば、薄型でかつ多機能配光が可能な照明器具を提供することが可能となる。
また、別体の照明を設けることなくひとつの照明器具で反射光を効率よく利用し作業面を照明したり、部屋全体のムード照明を実現したりすることができるので、簡便であり、空間が煩雑にならない。また、面状光源からの光のみを有効活用できるので電気エネルギーアップにならずにすむ。
【００２３】
ここで面状光源に用いる光源としては、有機エレクトロルミネッセンス（ＬＥＤ）素子のほか、無機ＬＥＤ素子、蛍光灯等を用いることができ、特に制限されるものではないが、面状発光装置を薄く形成でき、光色の可変性に優れる有機ＬＥＤ素子などのＬＥＤ素子が好ましい。
【００２４】
例えば、有機ＥＬパネルの場合、有機発光層は、白色光を取り出せるように素子あるいは発光層が積層されていてもよいし、それぞれ赤色光、緑色光、青色光を発光する素子をまとめて調色できるようになっていてもよい。なお、有機発光層の発光色は一例であって、かかる発光色に限定されるものではない。
【００２５】
また、ＬＥＤパネルの場合、多数のＬＥＤ光源が配列されている。各ＬＥＤ光源は、それぞれ赤色光、緑色光、青色光を発光するＬＥＤ素子をまとめて１つの光源としてもよいし、各発光色で分けられていてもよい。なお、ＬＥＤ素子の発光色は一例であって、かかる発光色に限定されるものではない。なお、各ＬＥＤ素子に流す電流比率を制御することによって、光線の色成分を変化させることが可能である。
【００２６】
ＥＬパネルやＬＥＤパネルは、それらのサイズに応じて、任意の数を筐体１００の面状光源内に配置することができる。
上記のような光源の周縁に筐体や光透過パネルを配設し面状光源を形成する。筐体には壁、床等の電気配線と接続するための電気接点が設けられている。また、光透過パネルは、光源の上方に配設され、光源を発光させたときに、面状光源の発光面２０１となる。
【００２７】
さらにまた、面状光源としては、点光源をライン状に配列して面状発光装置の端部に配置し、導光板によって、この点光源からの光を床面に導き、面状光源として用いるようにしたものも適用可能である。
【００２８】
ここで、面状光源の筐体を構成する素材としては、プラスチックやこれらにガラス繊維などの強化充填材を配合したもの、アルミニウム合金、鉄、マグネシウム合金のような金属、木材など特に限定されるものではないが、割れにくい素材であることが望ましい。
【００２９】
また、発光面となる開口面１０２を構成する光透過パネルの構成素材としては、透光性プラスチックやガラスなどが挙げられるが、所望の光学特性が得られ、発光面を所望の外観にできれば、特に限定されるものではない。また、消灯時に外観が必要な場合は、本発明の目的を損なわない範囲で、反射部２００の一方の面を反射面としもう一方の面の反射面上に、図６に示すように、着脱可能なカバー板２１０を装着したものも有効である。この場合はカバー板２１０は、天井板壁などの外観に似せた素材で構成してもよい、また光透過パネルに擬似印刷したものを用いてもよい。
【００３０】
(実施の形態２)
次にこの照明器具の変形例について説明する。
ここに示す照明器具は、図７に示すように、天井面３００に筐体１００を埋め込んだものである。
この場合も、室内を明るくしたい場合に、反射部２００を展開し、面状光源からの光を床面に向けて反射する。ここでもこの反射部２００は回動軸を軸として、１８０度回動可能である。回動軸には、適度な制動機構が内蔵されており、回動範囲内であれば、任意の角度で保持することが可能である。よって光の反射方向を制御することができるので作業面の位置が変化しても対応可能である。
【００３１】
また、反射部２００の形状、サイズは、所望の光学特性が得られれば特に限定されるものではない。
さらに、反射部２００の光反射面は、鏡面、光拡散面など所望の光学特性が得られれば特に限定されるものではない。
この構成により、照明器具は天井面３００に収納されるため、すっきりとしたインテリア空間を得ることができる。
【００３２】
（実施の形態３）
図８は本発明の実施の形態３に係る照明器具の説明図である。この照明器具は反射部の片面を反射面２１１とし、もう片面を非反射面２１２としたもので、他部の構成については前記実施の形態１の照明器具と同様であり、ここでは説明を省略した。
【００３３】
この構造によれば、図４に示した拡散光と照明光を得る配光はできないが、実施の形態１で説明した配光とは異なる配光形態をもつ種々の配光が実現可能である。
【００３４】
上記実施の形態によれば、収納時は反射面は露呈していないため、反射面の汚染もなく、維持することができ、非反射面２１２を所望の模様や絵画とすることで、アクセントインテリアとしても有効である。
【図面の簡単な説明】
【００３５】
【図１】本発明の実施の形態１に係る照明器具を示す斜視図
【図２】本発明の実施の形態１に係る照明器具の側面図
【図３】本発明の実施の形態１に係る照明器具の側面図
【図４】本発明の実施の形態１に係る照明器具の側面図
【図５】本発明の実施の形態１に係る照明器具の側面図
【図６】本発明の実施の形態１に係る照明器具の変形例を示す図
【図７】本発明の実施の形態２に係る照明器具の側面図
【図８】本発明の実施の形態３に係る照明器具の側面図
【図９】従来例の照明器具の側面図
【符号の説明】
【００３６】
１００  筐体
１０１  面状光源
１０２  開口面
２００（２００ａ、２００ｂ）  反射部
２０２  第１の回動軸
２０３  第２の回動軸
【図１】
2010146973.tif 000003
【図２】
2010146973.tif 000004
【図３】
2010146973.tif 000005
【図４】
2010146973.tif 000006
【図５】
2010146973.tif 000007
【図６】
2010146973.tif 000008
【図７】
2010146973.tif 000009
【図８】
2010146973.tif 000010
【図９】
2010146973.tif 000011